(57)【要約】【課題】運転停止時に貯水部に水が溜まることを簡易な手段によって適切に防止し得るミスト発生装置を提供する。【解決手段】貯水部１４と、上方に進むほど直径が大きくなる軸状部２１を有し、かつ回転時には、貯水部１４の水を軸状部２１の外周面に沿って上昇させてから衝突壁部１２に向けて飛散させるロータ２と、を備えているミスト発生装置ＭＧであって、貯水部１４の底部には、ロータ２の軸状部２１が挿入される孔部１６が設けられて、この孔部１６の周縁と軸状部２１の外周面との間に隙間が形成されており、ロータ２の非回転時には、貯水部１４の水を前記隙間から外部に排出可能である一方、ロータ２の回転時には、軸状部１４がその外面に沿って水を上昇させる作用によって貯水部１４の水が前記隙間から排出されることは防止される。【選択図】  図３
2008261610.tif 000002
【特許請求の範囲】
【請求項１】
水を貯留するための貯水部と、
この貯水部内に一部分が位置して上方に進むほど直径が大きくなる軸状部を有し、かつ回転時には、前記貯水部の水を前記軸状部の外周面に沿って上昇させてから周囲に飛散させることが可能なロータと、
前記ロータから飛散してきた水を衝突させてミストを発生させるための衝突壁部と、
を備えている、ミスト発生装置であって、
前記貯水部の底部には、前記ロータの軸状部が挿入される孔部が設けられて、この孔部の周縁と前記軸状部の外周面との間に隙間が形成されており、
前記ロータの非回転時には、前記貯水部の水を前記隙間から外部に排出可能である一方、前記ロータの回転時には、前記軸状部がその外周面に沿って水を上昇させる作用によって前記貯水部の水が前記隙間から外部に排出されることを防止可能な構成とされていることを特徴とする、ミスト発生装置。
【請求項２】
前記ロータを内部に収容しているとともに、発生したミストを外部に噴出するミスト噴出口および前記衝突壁部を有している有底状のケースを備えており、
このケースの底部が前記貯水部とされている、請求項１に記載のミスト発生装置。
【請求項３】
前記ケースの周壁部は、下方に進むほど外径または外幅が小さくなる傾斜部を有し、その外面は、前記貯水部の底部下面に繋がっており、前記周壁部の外周面に水が付着したときには、この水を前記貯水部の底部下面まで流れさせてから前記孔部内に進入させることが可能な構成とされている、請求項２に記載のミスト発生装置。
【請求項４】
前記貯水部の底部下面に設けられ、かつ前記孔部の周縁部から前記ロータの軸状部の外周面に向けて延びるガイド部をさらに備えている、請求項３に記載のミスト発生装置。
【請求項５】
前記ケースの周壁部の外面、および前記貯水部の底部下面の少なくとも一方には、親水処理が施されている、請求項２ないし４のいずれかに記載のミスト発生装置。
【請求項６】
前記ケースの周壁部の外面、および前記貯水部の底部下面の少なくとも一方には、このケースの上下高さ方向に延び、または前記孔部を中心とする放射状に延びる複数の凹溝もしくは凸状リブが形成されている、請求項２ないし５のいずれかに記載のミスト発生装置。
【請求項７】
前記ロータは、前記軸状部の上部に繋がっている回転板を有し、前記ロータの回転時には、水が遠心力によって前記軸状部の外周面に沿って上昇して前記回転板の下面まで到達した後にこの回転板の周囲に向けて加速されるように構成されており、
前記軸状部の外周面の上部と前記回転板の下面とは、曲面を介して滑らかに繋がっている、請求項１ないし６のいずれかに記載のミスト発生装置。
【請求項８】
浴室の上部に設置されるケースと、
前記浴室の空気を前記ケース内に吸入し、かつこの空気を送風口から前記浴室に吹き出すファンと、
このファンの駆動により前記ケース内に吸入された空気を加熱可能な加熱手段と、
を備えている浴室暖房装置であって、
請求項１ないし７のいずれかに記載のミスト発生装置をさらに備えていることを特徴とする、ミスト発生装置を備えた浴室暖房装置。
【発明の詳細な説明】
【技術分野】
【０００１】
本発明は、たとえば浴室において水（温水も含む）を霧状に噴出し、ミストによるサウナ効果、暖房効果、あるいはシャワー効果などを得る用途に好適なミスト発生装置、およびこれを備えた浴室暖房装置に関する。
【背景技術】
【０００２】
従来のミスト発生装置の具体例としては、特許文献１〜３に記載されたものがある。これらの文献に記載されたものは、水を貯留するための貯水部を内部に有するケースと、モータにより回転されるロータと、このロータの周囲に位置する衝突壁部とを有している。ロータが回転すると、貯水部の水はロータによって吸い上げられてからその周囲に飛散し、衝突壁部に衝突する。この衝突により、水の微細水滴化が図られ、ミストが発生する。
【０００３】
なお、前記ロータは、円板の中心部から下方に延びて、その下部が貯水部の水に浸漬される軸状部を有している。ただし、特許文献１の第１図に示されたロータの軸状部は、内部に空洞部が形成されたパイプ状であり、この空洞部内を水が上昇するようにされている。一方、特許文献２，３に示されたロータの軸状部は、非パイプ状であり、上部寄りほど外径が大きくなる円錐状または円錐台状である。このロータにおいては、軸状部の外周面に沿って水が上昇する。
【０００４】
しかしながら、前記したようなミスト発生装置においては、次に述べるように、改善すべき点があった。
【０００５】
すなわち、貯水部には水が貯留されるが、この貯水部におけるカビや雑菌の繁殖を防止し、衛生さを保つ観点からすると、ミスト発生装置の運転停止時には、貯水部に水が貯留したままにならないようにすることが要望される。とくに、ミスト発生装置を浴室に設置して、ミストシャワー効果などを得る用途に用いる場合には、このミスト発生装置の衛生さを保つ必要性が高く、またミストを清浄なものにする必要もあることから、前記した要望はより強い。さらに、浴室暖房装置が浴室に設置されている場合には、浴室に備えられているシャワーヘッドなどからミスト発生装置に湯水がかけられて、この湯水が貯水部に進入する虞もあり、このようにして進入した湯水がそのまま貯水部に滞留することもできる限り防止されることが望まれる。ところが、従来においては、そのようなことに積極的に対処するための手段はなんら講じられていないのが実情であった。
【０００６】
前記した要望に応えるための手段としては、開閉弁を備えた排水管を貯水部に接続し、ミスト発生装置の運転停止時には、前記開閉弁を開き、前記排水管を利用して前記貯水部の水を外部に排出させることが考えられる。ところが、このような手段を採用したのでは、装置全体の構造の複雑化や大型化を招き、またその製造コストも高価となる不具合を生じる。
【０００７】
【特許文献１】特公平１−１３０１４号公報
【特許文献２】特許第３６７１２０２号公報
【特許文献３】特開２００１−２８９４７０号公報
【発明の開示】
【発明が解決しようとする課題】
【０００８】
本発明は、前記したような事情のもとで考え出されたものであって、運転停止時に貯水部に水が溜まることを簡易な手段によって適切に防止することが可能なミスト発生装置、およびこれを備えた浴室暖房装置を提供することをその課題としている。
【課題を解決するための手段】
【０００９】
上記の課題を解決するため、本発明では、次の技術的手段を講じている。
【００１０】
本発明の第１の側面により提供されるミスト発生装置は、水を貯留するための貯水部と、この貯水部内に一部分が位置して上方に進むほど直径が大きくなる軸状部を有し、かつ回転時には、前記貯水部の水を前記軸状部の外周面に沿って上昇させてから周囲に飛散させることが可能なロータと、前記ロータから飛散してきた水を衝突させてミストを発生させるための衝突壁部と、を備えている、ミスト発生装置であって、前記貯水部の底部には、前記ロータの軸状部が挿入される孔部が設けられて、この孔部の周縁と前記軸状部の外周面との間に隙間が形成されており、前記ロータの非回転時には、前記貯水部の水を前記隙間から外部に排出可能である一方、前記ロータの回転時には、前記軸状部がその外周面に沿って水を上昇させる作用によって前記貯水部の水が前記隙間から外部に排出されることを防止可能な構成とされていることを特徴としている。
【００１１】
このような構成によれば、ロータの非回転時には、貯水部に存在していた水、あるいはこのミスト発生装置に水が掛けられるなどして貯水部に新たに進入してきた水を、この貯水部の底部に設けられている孔部の隙間から外部へ適切に排出することができる。したがって、ミスト発生装置の運転停止時に、貯水部に多くの水が滞留したままとなることが抑制され、ミスト発生装置を衛生な状態に保つことができる。一方、ロータの回転時には、このロータの軸状部の外周面に沿って水が上昇する作用によって、貯水部の水が前記孔部の隙間から外部に排出されないようにすることが可能であり、貯水部に水を適切に貯留させておくことができる。本発明においては、ロータが回転状態にあるか否かにより、貯水部の底部の孔部から水が排出される状態とそうではない状態とが好適に切り替えられる。したがって、開閉弁を備えた排水管を貯水部に接続するといった手段を別途用いてその制御を行なう必要はなく、装置全体の構成を簡素とし、製造コストを廉価に抑制し得る効果も得られる。
【００１２】
本発明の好ましい実施の形態においては、前記ロータを内部に収容しているとともに、発生したミストを外部に噴出するミスト噴出口および前記衝突壁部を有している有底状のケースを備えており、このケースの底部が前記貯水部とされている。
【００１３】
このような構成によれば、構成の簡素化が図られ、製造コストを低減するのにより好適となる。また重要な効果として、ケースの底部が貯水部とされていれば、たとえばミスト噴出口からこのケース内に水が進入した場合に、この水を貯水部に容易に導くことが可能となり、この水を貯水部の底部に設けられている孔部からケース外部に適切に排出することができる。
【００１４】
本発明の好ましい実施の形態においては、前記ケースの周壁部は、下方に進むほど外径または外幅が小さくなる傾斜部を有し、その外面は、前記貯水部の底部下面に繋がっており、前記周壁部の外周面に水が付着したときには、この水を前記貯水部の底部下面まで流れさせてから前記孔部内に進入させることが可能な構成とされている。
【００１５】
このような構成によれば、ミスト発生装置の運転時において、ケースの周壁部の外面にミストが接触するなどして水が付着すると、この水はその後ケースの周壁部の外面から貯水部の底部下面を伝って孔部内に進入する。ロータは、その周囲の水を上昇させる作用を発揮するために、貯水部の底部下面を伝って前記孔部まで水が進行すると、この水は、前記孔部に進入し、その後貯水部に流入することとなる。このことにより、ケースの外面からその下方に多くの水滴が流れ落ちないようにすることができる。このような効果は、たとえばミスト発生装置を浴室の天井部などに設置して使用する場合に、入浴者の身体上に多くの水滴が流れ落ちることを防止するのに役立つこととなる。
【００１６】
本発明の好ましい実施の形態においては、前記貯水部の底部下面に設けられ、かつ前記孔部の周縁部から前記ロータの軸状部の外周面に向けて延びるガイド部をさらに備えている。
【００１７】
このような構成によれば、たとえばケースの外面に付着した水が、貯水部の底部下面に進行して前記ガイド部に到達すると、このガイド部を伝ってロータの軸状部の外周面に向けて進行する。したがって、水が貯水部の底部に設けられている孔部内に進入することが促進され、ケース外面からその下方に水滴が落ちることを防止するのにより好適となる。
【００１８】
本発明の好ましい実施の形態においては、前記ケースの周壁部の外面、および前記貯水部の底部下面の少なくとも一方には、親水処理が施されている。
【００１９】
このような構成によれば、ケースの周壁部の外面、あるいは貯水部の底部下面に水が付着した場合に、この水が大きな水滴となることが抑制される。したがって、ケースの下方に水滴が落ちることを一層防止することでき、比較的多くの水を貯水部の底部に設けられている孔部に導くことが可能となる。
【００２０】
本発明の好ましい実施の形態においては、前記ケースの周壁部の外面、および前記貯水部の底部下面の少なくとも一方には、このケースの上下高さ方向に延び、または前記孔部を中心とする放射状に延びる複数の凹溝もしくは凸状リブが形成されている。
【００２１】
このような構成によれば、前記ケースの周壁部の外面、あるいは貯水部の底部下面に付着した水が複数の凹溝もしくは凸状リブに沿って流れ易くなり、貯水部の底部の孔部に向けて水を積極的に導くのにより好適となる。
【００２２】
本発明の好ましい実施の形態においては、前記ロータは、前記軸状部の上部に繋がっている回転板を有し、前記ロータの回転時には、水が遠心力によって前記軸状部の外周面に沿って上昇して前記回転板の下面まで到達した後にこの回転板の周囲に向けて加速されるように構成されており、前記軸状部の外周面の上部と前記回転板の下面とは、曲面を介して滑らかに繋がっている。
【００２３】
このような構成によれば、貯水部の水がロータの軸状部の外周面から回転板の下面に向けて進行する動作が円滑化される。加えて、水が前記曲面に沿って進行するときには、斜め上方に加速されることとなるが、この斜め方向の加速力は、水平方向への加速力成分を含む。このようなことから、前記水が回転板の下面に到達して水平方向に進行する際の速度が高速化し、その後この水が衝突壁部に衝突する際の速度も高速となる。その結果、ロータの回転速度をさほど高速にしなくても、ミストの微細化を図ることが可能となる。
【００２４】
本発明の第２の側面により提供されるミスト発生装置を備えた浴室暖房装置は、浴室の上部に設置されるケースと、前記浴室の空気を前記ケース内に吸入し、かつこの空気を送風口から前記浴室に吹き出すファンと、このファンの駆動により前記ケース内に吸入された空気を加熱可能な加熱手段と、を備えている浴室暖房装置であって、本発明の第１の側面により提供されるミスト発生装置をさらに備えていることを特徴としている。
【００２５】
このような構成によれば、本発明の第１の側面により提供されるミスト発生装置について述べたのと同様な効果が得られる。また、浴室暖房装置をミスト発生装置のブラケットとして利用することが可能となり、ミスト発生装置の施工作業の省略化あるいは簡略化を図ることもできる。
【００２６】
本発明のその他の特徴および利点は、添付図面を参照して以下に行なう発明の実施の形態の説明から、より明らかになるであろう。
【発明を実施するための最良の形態】
【００２７】
以下、本発明の好ましい実施の形態について、図面を参照して具体的に説明する。
【００２８】
図１および図２は、本発明が適用されたミスト発生装置を備えた浴室暖房装置の一例を示している。本実施形態の浴室暖房装置Ｈは、ユニットバスなどの浴室の天井部８０に取り付けられており、この浴室暖房装置Ｈのパネル４１に、ミスト発生装置ＭＧが取り付けられている。浴室暖房装置Ｈの説明に先立ち、ミスト発生装置ＭＧの構成について、図３〜図７を参照して説明する。
【００２９】
図３よく表われているように、ミスト発生装置ＭＧは、ケース１、ロータ２、およびモータＭを備えている。ケース１は、合成樹脂製であり、その全体の概略形状は、上部が開口した平面視円形のカップ状である。このケース１は、その上部に設けられた複数のネジ孔１０とこれらに螺合するネジ体９０とを利用してパネル４１の下面部に取り付けられている。このケース１は、リブ状の複数の衝突壁部１２、複数のミスト噴出口１３、貯水部１４、排水用の孔部１６、および複数の空気流入口１５を有している。
【００３０】
複数の衝突壁部１２は、ロータ２が回転してこのロータ２からその周囲に水が飛散したときにこの水を衝突させるための部位であり、この衝突によりミストが発生する。これら複数の衝突壁部１２は、図４および図６に示すように、ケース１の中心軸周りに略等間隔で放射状に並んだリブとして構成されている。各衝突壁部１２は、厚みが一様でケース１の半径方向に延びている。複数のミスト噴出口１３は、隣り合う衝突壁部１２どうしの隙間１１に連通し、かつケース１の周壁部に開口している。より具体的には、ケース１は、その上部側と下部側とがリブ状の複数の衝突壁部１２を介して繋がった形態とされており、衝突壁部１２どうしの隙間１１のうち、ケース１の最も外周寄りの部分がそのまま開口している。この開口部分がミスト噴出口１３であり、複数の衝突壁部１２に水が衝突して発生したミストは、そのままこのミスト噴出口１３を通過してケース１の周囲に噴出する。
【００３１】
貯水部１４は、ケース１の底部に形成されており、この貯水部１４には適当量の水を貯留可能である。貯水部１４への給水手段としては、たとえば図３に示すように、パネル４１に設けられた孔部４１０に給水用の比較的小径の管体９２を差し込み、この管体９２からケース１内の底部に給水を行なう手段を用いることができる。管体９２には、たとえば電磁式の開閉弁Ｖ１が設けられている。排水用の孔部１６は、この貯水部１４の底部に貫通して設けられている。
【００３２】
ケース１の周壁部のうち、少なくとも底部寄りの部分は、下方に進むほどその外径および内径が小さくなるように形成されており、このことにより貯水部１４の小容量化が図られている。また、ケース１の周壁部のうち、ミスト噴出口１３の形成箇所近傍から貯水部１４にわたる範囲の内面の大部分は、傾斜面となっており、内面に付着した水滴が貯水部１４に円滑に流れ込むように構成されている。同様に、ケース１の周壁部のうち、ミスト噴出口１３の形成箇所近傍よりも下方部分の外面も傾斜面となっており、この傾斜面の下部は貯水部１４の底部下面に滑らかに繋がっている。ミスト噴出口１３の下縁部分には、ケース１の周囲に向けて突出した突出部１７が形成されている。この突出部１７は、後述するように、この突出部１７よりも上方から流れてきた水を受けて、ケース１内に流れ込ませるガイドとしての役割を果たす。
【００３３】
複数の空気流入口１５は、ケース１内にその下方から外部空気を流入させるための部分である。ロータ２が高速回転する際には、後述する回転板２０の周囲の空気が乱流となり、この乱流がミストの発生動作を乱し、ミストの粒径にばらつきを生じさせる要因となる。これに対し、複数の空気流入口１５から回転板２０の下方に外部空気を供給すれば、前記した乱流を抑制することが可能である。ケース１の底部またはその近傍には、上向きに起立した筒状部１５ａが設けられており、この内部が空気流入口１５である。このような構成によれば、空気流入口１５の上部を貯水部１４の水面レベルよりも高くし、貯水部１４の水が空気流入口１５からケース１の下方に流れ落ちないようにすることができる。また、空気流入口１５の上部をロータ２の回転板２０に接近させることもできる。
【００３４】
モータＭは、ロータ２の駆動用であり、パネル４１上に取り付けられ、ケース１の外部に配されている。パネル４１は、モータＭとケース１との間を仕切る役割も果たしている。ただし、パネル４１へのモータＭの取り付け部分においては、外部空気をケース１内に対してその上方側から流入させるための空気流通部３３が形成されている。この空気流通部３３は、モータＭを支持する板部３１とパネル４１との間にスペーサ３２を介在させて形成された隙間３３ａと、パネル４１に形成され、かつ隙間３３ａを通過してきた外部空気をケース１内に流入させる開口部３３ｂとを含んで構成されている。この空気流通部３３を介してロータ２の回転板２０の上方領域にも外部空気が供給されるために、回転板２０の周辺空気に乱流を生じることがより徹底して抑制される。
【００３５】
ロータ２は、モータＭの軸部３０に支持されてケース１内において回転自在であり、円板状の回転板２０と、この回転板２０の中央部分から下向きに突出した軸状部２１とを有している。軸状部２１は、上部寄り部分ほど大径の円錐状または円錐台状であり、その下部は、排水用の孔部１６に挿通している。排水用の孔部１６の内周面と軸状部２１の外周面との間には、たとえば１〜３ｍｍほどの隙間が形成されている。ロータ２の回転時には、後述するように、貯水部１４の水が孔部１６から漏れることはなく、一部の水は軸状部２１の外周面に沿った水膜となって上昇し、回転板２０の下面まで揚げられる。すると、この水は、遠心力により、回転板２０の中央寄り領域から外周方向に向けて加速され、この回転板２０の周囲に飛散して複数の衝突壁部１２に衝突し、ミストが発生する。
【００３６】
図７は、前記した動作の原理説明図である。同図を参照して、軸状部２１の外周面上に水膜が形成されて上昇する原理をまず説明する。
軸状部２１の外周面上の水膜の微小要素ΔＷについて考察すると、前記外周面と直交する方向には、軸状部２１の外周面に対する水の付着力Ｆが生じている。また、微小要素ΔＷの質量をｍとすると、鉛直方向の下向きにはｍｇが作用するが、これは、分力ｍｇn，ｍｇtに分解することができる。水平方向には、遠心力Ｃ（Ｃ＝ｍｒω2，ｒ：偏心距離，ω：角速度)が作用するが、これは分力Ｃn，Ｃtに分解することができる。微小要素ΔＷが軸状部２１の外周面から吹き飛ばされないためには、次の式（１）の釣り合い関係があればよい。
Ｆ＝Ｃn＋ｍｇn    式（１）
ここで、微小要素ΔＷの質量ｍは、ｍ≒０であるために、ｍｇnは小さく、また遠心力Ｃおよびその分力Ｃn、についても小さくし、前記の式（１）を満足させることが可能である。
また、微小要素ΔＷが上昇するためには、次の式（２）の関係があればよい。
Ｃt＞ｍｇt   式（２）
ここで、ｍｇnは小さい一方、Ｃtについては、たとえばロータ２の回転速度を高めて、角速度ωを大きくすることによりその値を増大させることができる。したがって、前記の式（２）についても満足させることができる。
このように、前記した式（１），（２）を満足させるようにロータ２を高速回転させれば、貯水部１４の水を軸状部２１の外周面に沿って上昇させるポンピング作用を得ることができる。
【００３７】
一方、排水用の孔部１６の内周面と軸状部２１の外周面との間、およびその近傍に位置する微小要素ΔＷ’についても、前記したのと同様な力が作用している。このため、前記した分力Ｃtと同様な分力Ｃt’が微小要素ΔＷ’を上昇させる力として働く。この作用により、ロータ２の回転時には、貯水部１４の水が孔部１６の隙間からその下方に漏出しないようにすることができる。もちろん、ロータ２の回転を停止させると、貯水部１４の水は孔部１６から下方に漏出する。
【００３８】
図１に示すように、ミスト発生装置ＭＧは、操作用リモコン６、および制御部７も備えている。ただし、本実施形態においては、これら操作リモコン６および制御部７は、浴室暖房装置Ｈ用のものと兼用されている。操作リモコンおよび制御部については、ミスト発生装置ＭＧ用のものと浴室暖房装置Ｈ用のものとを別々に設けた構成とすることもできる。操作リモコン６は、たとえば浴室暖房装置Ｈに具備されている赤外線受光部（図示略）に対する赤外線送信を行なうことにより制御部７へのデータ送信が可能であり、ミスト発生装置ＭＧの運転のオン・オフなどの指令操作が可能である。制御部７は、たとえばマイクロコンピュータを用いて構成されており、ミスト発生装置ＭＧや浴室暖房装置Ｈの各部の動作制御を実行する。
【００３９】
次に、浴室暖房装置Ｈの構成を説明する。
【００４０】
図１に示すように、この浴室暖房装置Ｈは、ケース４、ファン５０、および加熱手段の一例としての熱交換器５１を備えている。ケース４は、ファン５０および熱交換器５１を内部に収容し、かつ浴室の天井板８０の上面側に設置される下部開口状のケース本体部４０と、これとは別体のパネル４１とを有している。パネル４１は、天井板８０に形成された開口部８０ａおよびケース本体部４０の下部開口部を塞ぐように、天井板８０に取り付けられている。このパネル４１には、給気口４１ａおよび送風口４１ｂが設けられている。送風口４１ｂには、送風方向を変更自在とするルーバ４２が設けられている。
【００４１】
この浴室暖房装置Ｈは、ファン５０が駆動すると、給気口４１ａからケース４内に空気が吸入され、この空気が熱交換器５１により加熱されるようにされている。熱交換器５１は、たとえば内部に加熱湯水が流通可能とされたフィン付の複数のチューブを用いて構成されており、ファン５０による吸入空気はこれら複数のチューブ間を通過する際に加熱される。この加熱された空気は、ルーバ４２までガイドされて吹き出される。ミスト発生装置ＭＧのケース１は、ルーバ４２の側方に位置している。
【００４２】
次に、ミスト発生装置ＭＧを備えた浴室暖房装置Ｈの作用について説明する。
【００４３】
まず、操作リモコン６が操作されて運転オンが指令されると、制御部７が開閉弁Ｖ１を開き、ミスト発生装置ＭＧの貯水部１４への給水が開始される。この給水と略同時、もしくはそれ以前の時期に、モータＭの駆動も開始される。このことにより、排水用の孔部１６からの水漏れを防止して、貯水部１４に水を貯留させることができる。貯水部１４に貯留された水の一部は、既述したように、ロータ２の軸状部２１の回転作用によってこの軸状部２１の外周面に沿って回転板２０の下面まで上昇してからその周囲に飛散し、複数の衝突壁部１２に衝突する。この衝突によって発生したミストは、衝突壁部１２どうしの隙間１１およびミスト噴出口１３をそのまま通過し、ケース１の周壁部の周囲に噴出する。ロータ２から水が飛散する方向は水平方向であるが、ケース１内において発生したミストの外部への噴出方向もそれと一致している。したがって、ミストの噴出が勢いよくなされる。また、ミストの多くは、衝突壁部１２の隙間１１内において発生するが、この隙間１１からミスト噴出口１３に至るまでの経路は、ストレートであり、しかもその距離は短い。したがって、ケース１内において発生したミストはケース１の外部に噴出され易く、ミスト噴出口１３に到達するまでの間に水滴となる割合が少なくなる。このため、ミストの噴出量を多くすることができる。
【００４４】
前記したミストの噴出時において、たとえば図１に示すように、浴室暖房装置Ｈの送風口４１ｂからケース１の下方または下方近傍に向けて加熱空気を吹き出させると、ケース１の周囲に噴出したミストがこの加熱空気によって加熱されるとともに、この加熱空気の流れに乗って浴室内の一定領域に送られる。したがって、ユーザは、暖かいミストを集中して浴びることができる。熱交換器５１の加熱動作を停止させておけば、非加熱のミストを浴びることもできる。また、これらとは異なり、浴室暖房装置Ｈの運転を停止させて、送風口４１ｂからの送風が停止された状態でミスト発生装置ＭＧを単独で使用することも可能である。この場合には、ケース１の周囲に噴出されたミストが自然落下するだけであるが、このような態様でのミスト供給も趣向に富んだものとなる。
【００４５】
ケース１の周囲に噴出されたミストの一部がケース１の周壁部外面に接触するなどして、この部分に水滴が発生する場合がある。このような現象を生じると、この水の多くは、ケース１の外面の傾斜面を伝って貯水部１４の底部下面まで流れ、排水用の孔部１６の形成箇所に到達する。すると、この水は、ロータ２の軸状部２１の回転により生じているポンピング作用によって孔部１６に吸い込まれ、貯水部１４に流入する。したがって、ケース１の外面から多くの水滴が下方に滴下しないようにすることが可能である。
【００４６】
前記した作用を高める手段としては、たとえば図８（ａ）に示すように、ケース１の底部に１または複数のガイド部１８を設ける手段を採用することができる。ガイド部１８は、孔部１６の周縁部からロータ２の軸状部２１の外周面に接触または接近するように延びたリブ状である。同図（ｂ）に示すように、孔部１６の隙間のうち、ガイド部１８が設けられている箇所は塞がれているものの、ロータ２の停止時に適切に排水が行なえるようにそれ以外の箇所は開口している。このガイド部１８の一端を軸状部２１に接触させる場合、ロータ２の回転の大きな抵抗力が発生しないようにその接触圧は小さくされている。接触圧を小さくするための手段としては、たとえばガイド部１８の材質を合成ゴムなどの弾性を有するものとし、その弾性を利用して軸状部２１に軽く接触させる手段を採用することができる。図８に示した構成によれば、ケース１の底部下面に進行した水がガイド部１８の表面に到達すると、この水はガイド部１８を伝って軸状部２１の外周面に進行する。このガイド部１８と軸状部２１の外周面とが非接触であって、それらの間に隙間が存在していても、その寸法が小さければ、やはりガイド部１８から軸状部２１の外周面に水を進行させることができる。このようなことにより、前記水がケース１の底部下面から孔部１６内に流入することが促進される。
【００４７】
また、前記した手段に加え、または代えて、ケース１の周壁部外面および底部下面を親水処理面とし、これらの部分から水滴を滴下し難くすることが好ましい。親水処理手段の具体例としては、コロナ放電処理、プラズマ処理、紫外線照射処理など、対象表面に活性種を生成させる手段、プライマやその他の親水性に優れる物質を対象表面に塗布する手段、あるいは対象表面にエッチングやブラスト処理などを施して対象表面を粗面化する手段など、種々の手段を採用することができる。また、ケース１は合成樹脂製であるため、このケース１を親水性材料を含んだ状態に成形し、ケース１の周壁部外面および底部下面自体が親水性材料からなる構成としてもよい。
【００４８】
さらに、図９（ａ），（ｂ）に示すように、ケース１の周壁部の外面、および底部下面に、このケース１の上下高さ方向に延び、または孔部１６を中心として放射状に延びる複数の凹溝１９を形成することも好ましい。このような構成によれば、ケース１の周壁部の外面に付着した水が、複数の凹溝１９に沿って流れ、孔部１６に向けてより円滑に導かれることとなる。また、凹溝１９に代えて、凸状リブを設けた場合にも、この凸状リブに沿わせて水を流れ易くして、孔部１６に円滑に導くことができる。
【００４９】
ケース１の周壁部のうち、突起部１７よりも高い位置に付着した水は、その後下方に流れたときに突起部１７の上面によって受けられ、ミスト噴出口１３を通過してケース１内に流入する。このことにより、ケース１の底部に向けて流れる水の量を少なくし、ケース１の下方に滴下する水量をより少なくし得る効果が得られる。
【００５０】
ロータ２から衝突壁部１２に向けて飛散した水としては、ケース１の外部に噴出することなくケース１内に残存したままとなるものも発生する。このような水は、ケース１の内壁面を伝って貯水部１４に戻される（突起部１７によって受けられた水も同様である）。ケース１の内面の広い領域が傾斜面とされているために、前記した水については、貯水部１４に向けて円滑に流れ込ませることが可能である。このようにしてケース１の外部に噴出されなかった水が貯水部１４に戻されると、この水は、ロータ２によって再度吸い上げられてからミスト発生に繰り返し利用されることとなる。したがって、ミストとして外部に噴出されなかった水の処理に苦慮するといった不具合も適切に回避される。また、水の消費量を抑制し、外部から貯水部１４への給水量を少なくすることもできる。
【００５１】
ミスト発生装置ＭＧの運転を停止させる場合、ロータ２の回転を直ちに停止させることによって、貯水部１４の水を孔部１６から下方に排出させることが可能である。ただし、これでは、入浴者の身体に前記の水が掛かる虞がある。これを回避する手段として、本実施形態においては、操作リモコン６によって運転オフの操作がなされると、制御部７は、開閉弁Ｖ１を閉状態して貯水部１４への給水を停止させるものの、モータＭについてはその後も暫くの間は継続して駆動させる処理を実行する。このことにより、貯水部１４の水がミスト化して消費される動作が継続されることとなり、貯水部１４の水の略全量をケース１の外部にミスト化して排出することができる。モータＭの駆動は、たとえば所定時間がタイムアップした時点で停止させればよい。
【００５２】
また、制御部７は、貯水部１４への給水を停止させたときには、図２に示すように、浴室暖房装置Ｈの送風口４１ｂからケース１に対して温風を送風させる制御も実行する。浴室暖房装置Ｈがたとえば図１に示したように既に運転状態にある場合には、ルーバ４２の角度を変更するだけで図２に示す状態に設定することが可能であり、また浴室暖房装置Ｈが運転状態にない場合には、浴室暖房装置Ｈの運転を開始させてから図２に示す状態に設定すればよい。このように、ケース１に温風送風が行なわれると、ケース１が加熱され、このケース１内に残存している水、あるいはケース１の外面に付着している水を積極的に蒸発させて、ケース１を十分に乾燥させることができる。浴室暖房装置Ｈの停止も、たとえば所定時間がタイムアップした時点で行なわせればよい。
【００５３】
ミスト発生装置ＭＧは、浴室の上部に配置されているために、その運転停止時において、たとえばシャワー水が掛けられ、この水がケース１内に進入する場合がある。これに対し、このケース１の底部には、孔部１６が設けられ、その内周面とロータ２の軸状部２１との間には水が容易に通過可能な隙間が形成されている。したがって、この部分から前記の水を適切に排出することができる。その結果、運転停止時に、ケース１内に水が溜まったままになることが好適に抑制され、ケース１内を衛生に優れたものとすることができる。
【００５４】
本実施形態のミスト発生装置ＭＧにおいては、前記したように、運転時にはロータ２の回転作用によって孔部１６からの排水が阻止されるのに対し、運転が停止されてロータ２の回転も停止されているときには、孔部１６からの排水が可能となる。したがって、運転の停止時にケース１内の水を外部に排出するための手段として、たとえばケース１の底部に排水用のパイプを別途接続するような必要はなく、全体の構成部品数を少なくして、構成の簡素化を図ることができる。
【００５５】
本発明は、上述した実施形態に限定されない。本発明に係るミスト発生装置、およびこれを備えた浴室暖房装置の各部の具体的な構成は、種々に設計変更自在である。
【００５６】
ミスト発生装置の運転を停止するときには、前記実施形態とは異なり、ロータの回転を直ちに停止させて、貯水部の底部の孔部から水抜きを行なわせてもよい。水抜き用の孔部の周縁とロータの軸状部の外周面との間には、水を排出可能な隙間が形成されていればよく、この隙間の具体的な寸法は問わない。ロータの軸状部は、貯水部の底部の下方に突出していなくてもよく、たとえば貯水部の底部下面と軸状部の下端とが略同一高さとされていてもよい。ロータの軸状部は、上方に進むほど直径が大きくなる形状(円錐状、あるいは円錐台状)であればよく、外周面の具体的な傾斜角度、各部の直径、および上下方向の長さなどは限定されない。たとえば上下方向の長さがかなり短くされ、回転板の下方に小寸法で突出した突起状に形成されている場合であっても、本発明でいう軸状部に相当する。また、軸状部は、たとえば軽量化などを目的として、内部に空洞部を有するパイプ状に形成してもかまわない。
【００５７】
図１０に示すように、ロータ２の軸状部２１の上部に回転板２０が連設されている場合、軸状部２１の外周面の上部と回転板２０の下面とは、曲率半径Ｒが比較的大きい曲面２３を介して滑らかに繋がった構成とすることもできる。このような構成によれば、軸状部２１の外周面から回転板２０の下面への水の移動が円滑化されることに加え、水が曲面２３上を進行する際には、この水が斜め上方に加速されることとなって、水平方向成分の加速力が生じる。したがって、回転板２０の下面の中心部近傍からその周囲に向けて水が水平方向に進行する速度を速め、衝突壁部１２に対する水の衝突速度も速めることができる。その結果、ミストの微細化が促進される。また、モータＭの回転数を下げて省エネを図ることも可能となる。
【００５８】
貯水部は、衝突壁部やミスト噴出口を有するケースと一体化することが好ましいものの、やはりこれに限定されず、ケースとは別体に形成することもできる。衝突壁部やミスト噴出口の具体的な形状、配置、数なども限定されない。
【００５９】
本発明に係るミスト発生装置は、前記実施形態のような天井取り付けタイプの浴室暖房装置に代えて、たとえば浴室の側壁に取り付けられるいわゆる壁掛けタイプの浴室暖房装置に取り付けて使用することも可能である。また、これとは異なり、たとえば浴室の天井部（天井パネルなど）に直接取り付けて、浴室暖房装置の有無には関係なく、それ単独で運転させるようにしてもよい。本発明に係るミスト発生装置は、浴室（シャワールームを含む）でのミスト発生に好適であるが、これ以外の箇所に設置して使用することも可能である。ミストの使用目的も問わない。
【図面の簡単な説明】
【００６０】
【図１】本発明に係るミスト発生装置を備えた浴室暖房装置の一例を示す断面図である。
【図２】図１に示されたミスト発生装置を備えた浴室暖房装置の作用説明図である。
【図３】図１に示されたミスト発生装置の要部断面図である。
【図４】図３のIV−IV断面図である。
【図５】図４のＶ−Ｖ断面図である。
【図６】図３に示されたミスト発生装置で用いられているケースの平面図である。
【図７】図３に示されたミスト発生装置が奏する作用の原理説明図である。
【図８】（ａ）は、本発明に係るミスト発生装置の他の例を示す要部断面図であり、（ｂ）は、（ａ）の矢視VIIIの底面図である。
【図９】（ａ）は、本発明に係るミスト発生装置の他の例を示す要部断面図であり、（ｂ）は、（ａ）の矢視IXの底面図である。
【図１０】本発明に係るミスト発生装置の他の例を示す要部断面図である。
【符号の説明】
【００６１】
ＭＧ    ミスト発生装置
Ｈ      浴室暖房装置
１      ケース（ミスト発生装置の）
２      ロータ
４      ケース（浴室暖房装置の）
１２    衝突壁部
１３    ミスト噴出口
１４    貯水部
１６    孔部（貯水部の底部の）
１８    ガイド部
１９    凹溝
２０    回転板
２１    軸状部
２３    曲面
４１ｂ  送風口
５０    ファン
５１    熱交換器（加熱手段）
【図１】
2008261610.tif 000003
【図２】
2008261610.tif 000004
【図３】
2008261610.tif 000005
【図４】
2008261610.tif 000006
【図５】
2008261610.tif 000007
【図６】
2008261610.tif 000008
【図７】
2008261610.tif 000009
【図８】
2008261610.tif 000010
【図９】
2008261610.tif 000011
【図１０】
2008261610.tif 000012